(57)【要約】【課題】第１及び第２のアンテナによりダイバーシティ機能を有し、第１のアンテナに近接して発熱体を備える場合において、アンテナの性能低下を引き起こすことがない携帯電話機を提供する。【解決手段】  第１アンテナ４１及び第２アンテナ４２によるダイバーシティ機能を有する携帯電話機１０において、第１アンテナ４１に近接してＬＥＤ照明灯３２が設けられている。また、ＬＥＤ照明灯３２が発する熱を拡散する放熱板３４が、回路基板２３を構成するグラウンド層２３ｂから隔離して、携帯電話機１０の内部に設けられている。【選択図】図５
2013115508.tif 000002
【特許請求の範囲】
【請求項１】
第１アンテナ及び第２アンテナによるダイバーシティ機能を有する携帯電話機であって、
前記第１アンテナ及び前記第２アンテナが、筐体内で離間して配され、
前記第１アンテナには近接して発熱体が設けられ、
当該発熱体が発する熱を拡散する放熱板が、グラウンドから電気的に隔離して、設けられている
ことを特徴とする携帯電話機。
【請求項２】
前記発熱体は、ＬＥＤ照明灯である
ことを特徴とする請求項１に記載の携帯電話機。
【請求項３】
前記ＬＥＤ照明灯が配置された照明回路基板の裏面に前記放熱板が貼着されている
ことを特徴とする請求項２に記載の携帯電話機。
【請求項４】
前記ＬＥＤ照明灯は、筐体側面に配置されている
ことを特徴とする請求項２に記載の携帯電話機。
【発明の詳細な説明】
【技術分野】
【０００１】
本発明は、デュアルアンテナによるダイバーシティ機能を有し、一方のアンテナに近接してＬＥＤ（Ｌｉｇｈｔ  Ｅｍｉｔｔｉｎｇ  Ｄｉｏｄｅ）照明灯等の発熱体を備える携帯電話機に関する。
【背景技術】
【０００２】
従来、携帯電話機において、高輝度ＬＥＤを備える場合に、高輝度ＬＥＤに蓄積される熱を拡散するための放熱板を備えている（特許文献１）。また、放熱板をグラウンドに接続して、熱をグラウンドに逃がすことにより、放熱効果を上げている。
【先行技術文献】
【特許文献】
【０００３】
【特許文献１】特開２００６−２４３３１０号公報
【発明の概要】
【発明が解決しようとする課題】
【０００４】
ダイバーシティ機能を有する携帯電話機においては、携帯電話機の先端側及び下端側に第１及び第２のアンテナが配置される。第１及び第２のアンテナを携帯電話機内でできる限り距離をとって離間させることにより、各々のアンテナから放出される電磁波が相互に干渉してアンテナ特性が下がることを防止することができるからである。さらに、携帯電話機の先端側に、照明灯が配置される場合には、照明灯が発する熱を拡散するための放熱板が第１のアンテナに近接して配置されることとなる。しかし、放熱効果を上げるために、この放熱板が携帯電話機の内部に設けられたグラウンドに接続されると、携帯電話機の内部に備えられた通信処理回路等において発生するノイズが、グラウンド及び放熱板を介して、第１のアンテナに伝わり、これにより、アンテナの性能低下を引き起こすという問題がある。
【０００５】
本発明は、上記の問題点を解決するために、第１及び第２のアンテナによるダイバーシティ機能を有し、第１のアンテナに近接して発熱体を設け、さらに、当該発熱体が発する熱を拡散するための放熱板を設ける場合においても、アンテナの性能低下を引き起こすことがない携帯電話機を提供することを目的とする。
【課題を解決するための手段】
【０００６】
上記目的を達成するために、本発明は、第１及び第２アンテナによるダイバーシティ機能を有する携帯電話機であって、第１アンテナに近接して発熱体が設けられ、当該発熱体が発する熱を拡散する放熱板が、グラウンドから隔離して、設けられていることを特徴とする。
【発明の効果】
【０００７】
この構成によると、グラウンド及び放熱板を介するノイズにより、アンテナ性能が低下することを防止できる携帯電話機を提供することができる。
【図面の簡単な説明】
【０００８】
【図１】携帯電話機１０の外観斜視図である。
【図２】携帯電話機１０を正面から見た場合における分解図である。
【図３】携帯電話機１０を裏面から見た場合における分解図である。
【図４】ＬＥＤ照明灯３２、照明回路基板３３及び放熱板３４並びにその周辺部の部分断面図である。この図は、図１のＡ−Ａ部分断面図である。
【図５】ＬＥＤ照明灯３２、照明回路基板３３及び放熱板３４並びにその周辺部の部分断面図である。この図は、図１のＢ−Ｂ部分断面図である。
【発明を実施するための形態】
【０００９】
（実施の形態）
本発明に係る一の実施の形態としての携帯電話機１０について説明する。
図１は、携帯電話機１０の外観斜視図である。
携帯電話機１０は、図１に示すように、正面５２側において、液晶ディスプレィユニット５３及び複数個の操作用キーからなる操作部５４が長手方向に配置されている。ここで、携帯電話機１０の長手方向の、液晶ディスプレィユニット５３に近い側を先端側と呼び、操作部５４に近い側を下端側と呼ぶ。
【００１０】
携帯電話機１０は、内蔵する第１アンテナ４１及び第２アンテナ４２によるダイバーシティ機能を有する。また、携帯電話機１０は、図１に示すように、先端側の側面５１を貫通して設けられたレンズ３１を通して、ＬＥＤ照明灯３２により、照明光を外部に照射する。
図２は、携帯電話機１０を正面５２から見た場合における分解図であり、図３は、携帯電話機１０を正面５２とは反対側に位置する裏面から見た場合における分解図である。
【００１１】
携帯電話機１０においては、図２及び図３に示すように、筐体２５により、支持体２２、回路基板２３及びアンテナ保持体２４が保持されている。支持体２２、回路基板２３及びアンテナ保持体２４を保持した筐体２５は、上部外装部２１及び下部外装部２６により被装され、上部外装部２１には、正面被覆板２０が取り付けられ、下部外装部２６には、着脱自在に蓋部２７が取り付けられている。
【００１２】
支持体２２は、液晶ディスプレィユニット５３の表示面及び操作部５４の各接点が表面６３から露出するように、液晶ディスプレィユニット５３及び操作部５４を支持する。また、支持体２２は、ＬＥＤ照明灯３２が照射する照明光が、レンズ３１を介して、携帯電話機１０の外部に照射されるように、ＬＥＤ照明灯３２が配置された照明回路基板３３を、側面５１において、支持する。
【００１３】
回路基板２３は、それぞれ平板状の配線層２３ａ、グラウンド層２３ｂ及び配線層２３ｃが積層されて構成されている。配線層２３ａ及び配線層２３ｃには、信号線が形成され、電子部品が配置される。グラウンド層２３ｂは、一例として、銅を材料として形成される。なお、回路基板２３は、この構造には、限定されない。配線層にグラウンド用の配線が形成されるとしてもよい。また、回路基板２３は、さらに、電源層を備えるとしてもよい。回路基板２３上には、携帯電話機１０がサポートする移動通信方式を実現する通信処理回路やベースバンド回路などが構築される。また、ベースバンド回路は、第１アンテナ４１及び第２アンテナ４２より受信した信号を受信ダイバーシティ方式により処理する。受信ダイバーシティ方式による信号の処理については、公知であり、ここでは、詳細な説明を省略する。
【００１４】
アンテナ保持体２４は、筐体２５において、携帯電話機１０の先端側に配され、アンテナ保持体２４のアンテナ保持面６１上には、帯状の第１アンテナ４１が設けられている。第１アンテナ４１は、回路基板２３上に設けられた通信処理回路に接続されている。
筐体２５のアンテナ保持面６２上において、携帯電話機１０の長手方向、下端側に相当する側に、帯状の第２アンテナ４２が設けられている。第２アンテナ４２は、回路基板２３上に設けられた通信処理回路に接続されている。
【００１５】
第１アンテナ４１は、側面５１の近傍に配され、第２アンテナ４２は、携帯電話機１０の下端側の側面５５の近傍に配されている。このように第１アンテナ４１と第２アンテナ４２とが筐体２５内で離間して配置されることにより、各々のアンテナから放出される電磁波が相互に干渉してアンテナ利得が下がることを防止することができる。
上部外装部２１及び下部外装部２６は、筐体２５、支持体２２、回路基板２３及びアンテナ保持体２４を保護する。
【００１６】
図４は、ＬＥＤ照明灯３２、照明回路基板３３及び放熱板３４並びにその周辺部の部分断面図であり、図１のＡ−Ａ部分断面図である。また、図５は、ＬＥＤ照明灯３２、照明回路基板３３及び放熱板３４並びにその周辺部の部分断面図であり、図１のＢ−Ｂ部分断面図である。
ＬＥＤ照明灯３２は、図４及び図５に示すように、照明光の光軸が照明回路基板３３の基板面に対して垂直方向、外側を向くように、照明回路基板３３上に配置される。ＬＥＤ照明灯３２は、先端側の側面５１を貫通して設けられたレンズ３１を通して、照明光を外部に照射する。
【００１７】
携帯電話機１０を手に保持して操作する際の向きと同一方向の側面５１に、ＬＥＤ照明灯３２を配置することにより、ユーザーは、携帯電話機１０を操作する向きを変えることなく、自身の前方をＬＥＤ照明灯３２からの光により照らすことができる。
また、図４及び図５に示すように、照明回路基板３３において、ＬＥＤ照明灯３２の配置面の裏面に、一例としてアルミニウムを材料とする平板状の放熱板３４が貼着されている。放熱板３４は、発熱体としてのＬＥＤ照明灯３２が蓄積し発する熱を拡散する。図５に示すように、放熱板３４は、回路基板２３を構成するグラウンド層２３ｂから隔離して、設けられている。レンズ３１は、ＬＥＤ照明灯３２から照射される照明光の照射角を調整する。
【００１８】
図５に示すように、アンテナ保持体２４のアンテナ保持面６１上に設けられた第１アンテナ４１は、放熱板３４と近接して設けられている。一方、放熱板３４が貼着された照明回路基板３３は、支持体２２により支持され、また、配線層２３ａ、グラウンド層２３ｂ及び配線層２３ｃが積層されて構成される回路基板２３も、支持体２２により支持されている。このように、グラウンド層２３ｂと放熱板３４とは、別個独立に、支持体２２により支持されており、グラウンド層２３ｂと放熱板３４とは、接続されておらず、隔離して設けられている。
【００１９】
以上説明したように、携帯電話機１０において、発熱体であるＬＥＤ照明灯３２が発する熱を拡散する放熱板３４が、グラウンド層２３ｂから電気的に隔離して、設けられているので、グラウンド層２３ｂ及び放熱板３４を介して、ノイズが第１アンテナ４１に伝わることがなく、アンテナの性能低下を引き起こすことがないという優れた効果を奏する。
【産業上の利用可能性】
【００２０】
本発明に係る携帯電話機は、ＬＥＤ照明灯等の発熱体が発する熱を拡散する放熱板が、グラウンドから隔離して、筐体内部に設けられている。このため、グラウンド及び放熱板を介して、ノイズが放熱板に近接して設けられた第１アンテナに伝わることがなく、アンテナの性能低下を引き起こすことがないという効果を奏する。本発明は、デュアルアンテナによるダイバーシティ機能を有し、前記第１アンテナに近接して発熱体を備える携帯電話機として有用である。
【符号の説明】
【００２１】
１０    携帯電話機
２０    正面被覆板
２１    上部外装部
２２    支持体
２３    回路基板
２３ａ  配線層
２３ｂ  グラウンド層
２３ｃ  配線層
２４    アンテナ保持部
２５    筐体
２６    下部外装部
２７    蓋部
３１    レンズ
３２    ＬＥＤ照明灯
３３    照明回路基板
３４    放熱板
４１    第１アンテナ
４２    第２アンテナ
５３    液晶ディスプレィユニット
５４    操作部
【図１】
2013115508.tif 000003
【図２】
2013115508.tif 000004
【図３】
2013115508.tif 000005
【図４】
2013115508.tif 000006
【図５】
2013115508.tif 000007